(57)【要約】【課題】眼鏡レンズの使用状況に関する装用者の特性を考慮した、縁厚の薄い、眼鏡レンズの設計方法を提供する。【解決手段】本発明による眼鏡レンズの設計方法は、眼鏡装用者の処方データに基づいて、眼鏡レンズの物体側の曲率半径と眼球側の曲率半径とを定め、前記眼鏡レンズの少なくとも一方の面において、眼鏡装用者の使用頻度が高い第１の領域と、眼鏡装用者の使用頻度が低い第２の領域とを眼鏡装用者の眼球の回旋角に基づいて定める。本設計方法は、前記第２の領域における曲率半径を、前記処方データに基づいて定めた曲率半径に対し、レンズの縁厚が薄くなる方向に周辺部に向かって連続的に変化させて修正することを特徴とする。【選択図】図１
2008249828.tif 000002
【特許請求の範囲】
【請求項１】
眼鏡装用者の処方データに基づいて、眼鏡レンズの物体側の曲率半径と眼球側の曲率半径とを定め、
前記眼鏡レンズの少なくとも一方の面において、眼鏡装用者の使用頻度が高い第１の領域と、眼鏡装用者の使用頻度が低い第２の領域とを眼鏡装用者の眼球の回旋角に基づいて定め、
前記第２の領域における曲率半径を、前記処方データに基づいて定めた曲率半径に対し、レンズの縁厚が薄くなる方向に周辺部に向かって連続的に変化させて修正することを特徴とする眼鏡レンズの設計方法。
【請求項２】
前記第１の領域の回旋角の上限値が２０度から３０度の範囲であることを特徴とする請求項１に記載の眼鏡レンズの設計方法。
【請求項３】
眼鏡装用者の視紋値に基づいて前記第１の領域の回旋角の上限値を定めることを特徴とする請求項１または２に記載の眼鏡レンズの設計方法。
【請求項４】
前記第２の領域の回旋角の上限値が４０度から６０度の範囲であることを特徴とする請求項１から３のいずれか１項に記載の眼鏡レンズの設計方法。
【請求項５】
眼鏡装用者の視紋値に基づいて前記第２の領域の回旋角の上限値を定めることを特徴とする請求項１から４のいずれか１項に記載の眼鏡レンズの設計方法。
【請求項６】
回旋角が前記第２の領域の回旋角の上限値より大きい第３の領域において、前記少なくとも一方の面の、眼球の回旋中心点と光学中心とを結ぶ直線を含む所定の断面を示す曲線が変曲点を備えるように、前記曲線の形状を修正することを特徴とする請求項１から５のいずれか１項に記載の眼鏡レンズの設計方法。
【請求項７】
眼鏡レンズの、眼球の回旋中心点と光学中心とを結ぶ直線を含む所定の断面において、前記直線が前記少なくとも一方の面と交わる点を基準点とし、前記少なくとも一方の面の前記基準点における接線を基準線とし、前記基準点を原点とし、前記基準線をＸ軸とするＸＹ直交座標を定め、第２の領域の任意の点のＸ座標を
【数１】
2008249828.tif 000018
とし、
【数２】
2008249828.tif 000019
における前記少なくとも一方の面を表す曲線のＹ軸方向の修正量を
【数３】
2008249828.tif 000020
とし、
【数４】
2008249828.tif 000021
を定数とした場合に、
【数５】
2008249828.tif 000022
であることを特徴とする請求項１から６のいずれか１項に記載の眼鏡レンズの設計方法。
【請求項８】
請求項１から７のいずれか１項に記載の眼鏡レンズの設計方法によって設計した眼鏡レンズを製造することを特徴とする眼鏡レンズの製造方法。
【請求項９】
眼鏡装用者の指紋値を求め、
前記指紋値に基づいて請求項１から７のいずれか１項に記載の眼鏡レンズの設計方法によって眼鏡レンズを設計し、
眼鏡レンズを加工し、
眼鏡レンズを枠に入れる、眼鏡の製造方法。
【請求項１０】
眼鏡店において、眼鏡装用者の指紋値を求め、加工済みの眼鏡レンズを枠に入れることを特徴とする請求項９に記載の眼鏡の製造方法。
【請求項１１】
少なくとも一方の面が、眼鏡装用者の眼球の回旋角に基づいて、眼鏡装用者の使用頻度が高い第１の領域と、眼鏡装用者の使用頻度が低い第２の領域とに分割され、前記第１の領域における曲率半径は、眼鏡装用者の処方データに基づいて定められ、前記第２の領域における曲率半径は、前記処方データに基づいて定めた曲率半径に対し、レンズの縁厚が薄くなる方向に周辺部に向かって連続的に変化させて修正されていることを特徴とする眼鏡レンズ。
【請求項１２】
前記第１の領域の回旋角の上限値が２０度から３０度の範囲であることを特徴とする請求項１１に記載の眼鏡レンズ。
【請求項１３】
眼鏡装用者の視紋値に基づいて前記第１の領域の回旋角の上限値が定められたことを特徴とする請求項１１または１２に記載の眼鏡レンズ。
【請求項１４】
前記第２の領域の回旋角の上限値が４０度から６０度の範囲であることを特徴とする請求項１１から１３のいずれか１項に記載の眼鏡レンズ。
【請求項１５】
眼鏡装用者の視紋値に基づいて前記第２の領域の回旋角の上限値が定められたことを特徴とする請求項１１から１４のいずれか１項に記載の眼鏡レンズ。
【請求項１６】
回旋角が前記第２の領域の回旋角の上限値より大きい第３の領域において、前記少なくとも一方の面の、眼球の回旋中心点と光学中心とを結ぶ直線を含む所定の断面を示す曲線が変曲点を備えたことを特徴とする請求項１１から１５のいずれか１項に記載の眼鏡レンズ。
【請求項１７】
眼鏡レンズの、眼球の回旋中心点と光学中心とを結ぶ直線を含む所定の断面において、前記直線が前記少なくとも一方の面と交わる点を基準点とし、前記少なくとも一方の面の前記基準点における接線を基準線とし、前記基準点を原点とし、前記基準線をＸ軸とするＸＹ直交座標を定め、第２の領域の任意の点のＸ座標を
【数６】
2008249828.tif 000023
とし、
【数７】
2008249828.tif 000024
における前記少なくとも一方の面を表す曲線のＹ軸方向の修正量を
【数８】
2008249828.tif 000025
とし、
【数９】
2008249828.tif 000026
を定数とした場合に、
【数１０】
2008249828.tif 000027
であることを特徴とする請求項１１から１６のいずれか１項に記載の眼鏡レンズ。
【発明の詳細な説明】
【技術分野】
【０００１】
本発明は、眼鏡レンズおよびその設計方法に関するものである。特に、縁厚の薄い、眼鏡レンズおよびその設計方法に関するものである。
【背景技術】
【０００２】
屈折力が大きい眼鏡レンズの場合、レンズ縁厚が厚くなり、レンズが重くなるとともに見栄えが悪くなる。また、該眼鏡レンズに使用可能なフレームも限定されてしまう。最近では、眼鏡の外観が重視されているので、レンズの見栄えをよくし、フレームの選択範囲を広げることは非常に重要である。
【０００３】
従来、眼鏡レンズの中央部に光学的有効部分を設け、その外側の周辺部において、レンズ形状を調整することにより、縁厚を薄くした眼鏡レンズが開発されている（たとえば、特許文献１）。
【０００４】
しかし、装用者の特性により、眼鏡レンズの使用状況は異なる。したがって、縁厚の薄い眼鏡レンズを設計する際には、眼鏡レンズの使用状況に関する装用者の特性を考慮すべきである。
【０００５】
【特許文献１】特開２０００−４７１４４号公報
【発明の開示】
【発明が解決しようとする課題】
【０００６】
しかし、縁厚の薄い、眼鏡レンズの設計方法であって、眼鏡レンズの使用状況に関する装用者の特性を考慮した設計方法は開発されていない。また、眼鏡レンズの使用状況に関する装用者の特性を考慮した、縁厚の薄い、眼鏡レンズは開発されていない。
【０００７】
したがって、眼鏡レンズの使用状況に関する装用者の特性を考慮した、縁厚の薄い、眼鏡レンズの設計方法および眼鏡レンズの使用状況に関する装用者の特性を考慮した、縁厚の薄い、眼鏡レンズに対するニーズがある。
【課題を解決するための手段】
【０００８】
本発明による眼鏡レンズの設計方法は、眼鏡装用者の処方データに基づいて、眼鏡レンズの物体側の曲率半径と眼球側の曲率半径とを定め、前記眼鏡レンズの少なくとも一方の面において、眼鏡装用者の使用頻度が高い第１の領域と、眼鏡装用者の使用頻度が低い第２の領域とを眼鏡装用者の眼球の回旋角に基づいて定める。本設計方法は、前記第２の領域における曲率半径を、前記処方データに基づいて定めた曲率半径に対し、レンズの縁厚が薄くなる方向に周辺部に向かって連続的に変化させて修正することを特徴とする。
【０００９】
本発明によれば、前記第１および第２の領域を眼鏡装用者ごとに定めることにより、眼鏡レンズの使用状況に関する眼鏡装用者の特性を考慮した、縁厚の薄い、眼鏡レンズの設計方法が得られる。
【００１０】
本発明による眼鏡レンズは、少なくとも一方の面が、眼鏡装用者の眼球の回旋角に基づいて、眼鏡装用者の使用頻度が高い第１の領域と、眼鏡装用者の使用頻度が低い第２の領域とに分割されている。本発明による眼鏡レンズは、前記第１の領域における曲率半径は、眼鏡装用者の処方データに基づいて定められ、前記第２の領域における曲率半径は、前記処方データに基づいて定めた曲率半径に対し、レンズの縁厚が薄くなる方向に周辺部に向かって連続的に変化させて修正されていることを特徴とする
本発明によれば、眼鏡装用者による前記眼鏡レンズ使用頻度が高い第１の領域と、眼鏡装用者による前記眼鏡レンズ使用頻度が低い第２の領域と、を分割して眼鏡レンズの形状を定めることにより、眼鏡レンズの使用状況に関する眼鏡装用者の特性を考慮した、縁厚の薄い、眼鏡レンズが得られる。
【００１１】
本発明の一実施形態によれば、前記第１の領域の回旋角の上限値が２０度から３０度の範囲であることを特徴とする。
【００１２】
本実施形態によれば、前記第１の領域の回旋角の上限値を、眼鏡装用者ごとに２０度から３０度の範囲で定めることにより、眼鏡レンズの使用状況に関する眼鏡装用者の特性を考慮した、縁厚の薄い、眼鏡レンズの設計方法または眼鏡レンズが得られる。
【００１３】
本発明の他の実施形態によれば、眼鏡装用者の視紋値に基づいて前記第１の領域の回旋角の上限値を定めることを特徴とする。
【００１４】
本実施形態によれば、眼鏡装用者の視紋値を使用することにより、前記第１の領域の回旋角の上限値を適切に定めることができる。
【００１５】
本発明の他の実施形態によれば、前記第２の領域の回旋角の上限値が４０度から６０度の範囲であることを特徴とする。
【００１６】
本実施形態によれば、前記第２の領域の回旋角の上限値を、眼鏡装用者ごとに４０度から６０度の範囲で定めることにより、眼鏡レンズの使用状況に関する眼鏡装用者の特性を考慮した、縁厚の薄い、眼鏡レンズの設計方法または眼鏡レンズが得られる。
【００１７】
本発明の他の実施形態によれば、眼鏡装用者の視紋値に基づいて前記第２の領域の回旋角の上限値を定めることを特徴とする。
【００１８】
本実施形態によれば、眼鏡装用者の視紋値を使用することにより、前記第２の領域の回旋角の上限値を適切に定めることができる。
【００１９】
本発明の他の実施形態によれば、回旋角が前記第２の領域の回旋角の上限値より大きい第３の領域において、前記曲線が変曲点を備えるように、前記曲線の形状を修正することを特徴とする。
【００２０】
本実施形態によれば、眼鏡装用者が使用することがない第３の領域において、前記曲線に変曲点が備えるように、前記曲線の形状を修正することにより、眼鏡装用者の見え方に影響を与えることなく、眼鏡レンズの縁厚を薄くすることができる。
【００２１】
本発明の他の実施形態によれば、眼鏡レンズの、眼球の回旋中心点と光学中心とを結ぶ直線を含む所定の断面において、前記直線が前記少なくとも一方の面と交わる点を基準点とし、前記少なくとも一方の面の前記基準点における接線を基準線とし、前記基準点を原点とし、前記基準線をＸ軸とするＸＹ直交座標を定め、第２の領域の任意の点のＸ座標を
【数１】
2008249828.tif 000003
とし、
【数２】
2008249828.tif 000004
における眼側の屈折面を表す曲線のＹ軸方向の修正量を
【数３】
2008249828.tif 000005
とし、
【数４】
2008249828.tif 000006
を定数とした場合に、
【数５】
2008249828.tif 000007
であることを特徴とする。
【００２２】
本実施形態によれば、前記第２の領域において前記曲線の曲率半径が、眼鏡装用者の処方データに基づいて定めたレンズの屈折力を実現するように定めた値よりも周縁部に向かって徐々に大きくなるように修正することができる。
【発明の効果】
【００２３】
本発明によれば、眼鏡レンズの使用状況に関する装用者の特性を考慮した、縁厚の薄い、眼鏡レンズの設計方法および眼鏡レンズの使用状況に関する装用者の特性を考慮した、縁厚の薄い、眼鏡レンズが得られる。
【発明を実施するための最良の形態】
【００２４】
図１は、本発明の一実施形態による、眼鏡レンズの設計方法を示す流れ図である。
【００２５】
図１のステップＳ１０１０において、眼鏡装用者の処方データを求める。眼鏡装用者の処方データには、球面度数、乱視度数、乱視軸、加入度、プリズム量などのレンズ処方データ、フレーム形状、瞳孔距離、アイポイントなどが含まれる。つぎに、眼鏡装用者の処方データに基づいて定めたレンズの屈折力を実現するように、眼鏡レンズの物体側の屈折面の形状と眼側の屈折面の形状とを定める。
【００２６】
図１のステップＳ１０２０において、眼鏡装用者ごとに、眼側の屈折面において第１の領域および第２の領域を定める。第１の領域は、回旋角が第１の所定値以下であり、装用者による眼鏡レンズの使用頻度が高い領域である。第２の領域は、回旋角が第１の所定値より大きく、第２の所定値以下であり、装用者による眼鏡レンズの使用頻度が低い領域である。回旋角が第２の所定値より大きい領域は、装用者が眼鏡レンズを使用しない領域であり、第３の領域と呼称する。ここで、回旋角とは、眼球が前後軸から回転した角度のことである。
【００２７】
第１および第２の領域は、眼鏡装用者の特性によって変化する。そこで、眼鏡装用者の特性を表すのに、視紋値を使用してもよい。視紋値については、以下に説明する。
【００２８】
図２は、視紋値を説明するための図である。眼鏡装用者の当初における正面の方向を一点鎖線で示す。観察対象物が眼鏡装用者の当初における正面の方向から外れた位置にある場合に、眼鏡装用者は、眼球を回転させるか、顔全体（頭）を回転させるかまたは両方を回転させる。図２に示すように、当初における正面の方向を基準とした対象物の角度を目標角度と呼称する。また、当初における正面の方向を基準とした頭の角度をヘッド角度と呼称する。ここで、目標角度に対するヘッド角度の比率を視紋値と定義する。経験的に、視紋値は眼鏡装用者によってほぼ一定である。そこで、眼鏡装用者の、顔全体の動きおよび眼球の動きを測定することによって眼鏡装用者の視紋値を測定する。目標角度とヘッド角度との差は、眼球の回旋角である。したがって、視紋値が大きな眼鏡装用者は、眼球回旋角が小さい範囲に収まるが、視紋値が小さな眼鏡装用者は、眼球回旋角が大きくなる。
【００２９】
視紋値が０である（すなわち、頭を回転させることがない）眼鏡装用者に対して、第１の領域の上限の回旋角を３０度以上とし、第２の領域の上限の回旋角を５０度以上とするのが好ましい。
【００３０】
他方、視紋値が一定値以上である眼鏡装用者に対しては、第１および第２の領域の上限の回旋角を小さくすることができる。たとえば、視紋値が所定値０．８以上である眼鏡装用者は、眼球の回旋角が小さいので、第１の領域の上限の回旋角を２０度とし、第２の領域の上限の回旋角を４０度としてもよい。
【００３１】
一般的に、第１の領域の上限の回旋角は、眼鏡装用者に視紋値にしたがって、２０度から３０度の範囲の値から選択するのが好ましい。視紋値の上記所定値から０までを２０度から４０度に対応させて、第１の領域の上限の回旋角を定めてもよい。また、第２の領域の上限の回旋角は、眼鏡装用者に視紋値にしたがって、４０度から６０度の範囲の値から選択するのが好ましい。視紋値の上記所定値から０までを４０度から６０度に対応させて、第２の領域の上限の回旋角を定めてもよい。眼鏡装用者の視紋値が大きなほど、第１または第２の領域の上限の回旋角を狭くすることができる。このように、視紋値と対応させて、第１および第２の領域の上限の回旋角を定めることができる。
【００３２】
図１のステップＳ１０３０において、第２の領域において、所定の条件の下に眼側の屈折面の形状を修正する。以下において、眼側の屈折面の形状の修正の方法を、本発明の第１の実施例による眼鏡レンズを例として説明する。以下の実施例において、レンズは単一の屈折度数に基づいて設計されている。また、レンズの屈折率は、１．６７である。
【００３３】
図３は、本発明の第１の実施例による眼鏡レンズの、眼球の回旋中心点Ｃ２と眼鏡レンズの光学中心Ｃ１とを結ぶ直線を含む断面の図である。図３において、眼鏡レンズの外側（耳側）を「Ｏｕｔ」で示し、内側（鼻側）を「Ｉｎ」で示す。本実施例による眼鏡レンズの中心度数は、−４ジオプトリーであり、光学中心から外側（耳側）端部までの距離は２９ミリメータである。また、本実施例による眼鏡レンズの中心厚は１．１ミリメータである。上記直線が眼側の屈折面と交わる点を基準点Ｏとし、眼側の屈折面を表す曲線の基準点Ｏにおける接線を基準線とし、基準点Ｏを原点とし、基準線をＸ軸とするＸＹ直交座標を定める。本実施例においては、第１の領域は回旋角が３０度以下の領域とし、第２の領域は回旋角が３０度より大きく５０度以下の領域とし、第３の領域は回旋角が５０度より大きい領域とした。図３において、眼鏡装用者の処方データに基づいて定めたレンズの屈折力を実現するレンズ形状を点線で示し、本実施例によるレンズ形状を実線で示す。以下において、眼鏡装用者の処方データに基づいて定めたレンズの屈折力を実現するレンズ形状を有するレンズを比較例と呼称する。
【００３４】
第１の領域においては、点線で示したレンズ形状は修正しない。すなわち、本実施例による眼鏡レンズの眼側の屈折面を表す曲線の第１の領域における曲率は、眼鏡装用者の処方データに基づいて定めたレンズの屈折力を実現する曲率である。
【００３５】
第２の領域においては、縁厚を薄くするように点線で示したレンズ形状を修正する。具体的には、第１および第２の領域において、眼側の屈折面を表す曲線に頂点以外の変曲点が存在しないようにしながら、第２の領域において眼側の屈折面を表す曲線の曲率半径が、眼鏡装用者の処方データに基づいて定めたレンズの屈折力を実現する曲率半径よりも大きくなるようにする。好ましくは、第２の領域において、眼側の屈折面を表す曲線の曲率半径と、眼鏡装用者の処方データに基づいて定めたレンズの屈折力を実現する曲率半径との差が、光学中心から周縁部に向けて徐々に大きくなるようにする。
【００３６】
より具体的に、第１および第２の領域の境界のＸ座標を
【数６】
2008249828.tif 000008
とし、第２の領域の任意の点のＸ座標を
【数７】
2008249828.tif 000009
とし、
【数８】
2008249828.tif 000010
における眼側の屈折面を表す曲線のＹ軸方向の修正量を
【数９】
2008249828.tif 000011
とし、
【数１０】
2008249828.tif 000012
を定数とした場合に、
【数１１】
2008249828.tif 000013
としてもよい。ここで、５次の多項式を使用したが、その他の次数の多項式であってもよい。その場合に、第２および第３の領域の境界のＸ座標を
【数１２】
2008249828.tif 000014
とした場合に、当該境界における修正量は、
【数１３】
2008249828.tif 000015
の範囲であるのが好ましい。
【００３７】
第３の領域においては、眼側の屈折面を表す曲線が変曲点を備えてもよい。
【００３８】
第１、第２および第３の領域における曲線を、高次の多項式またはスプライン関数で接続して、修正後の曲線を得る。
【００３９】
図３に示すように、本実施例による眼鏡レンズの外側（耳側）の縁厚は３．３ミリメータである。比較例のレンズの縁厚（３．４ミリメータ）に比較して、０．１ミリメータ薄くなっている。
【００４０】
第１の実施例において、眼側の屈折面を表す曲線の座標が、０、
【数１４】
2008249828.tif 000016
および
【数１５】
2008249828.tif 000017
の位置における曲率半径をR1,R2およびR3とすると
R1= 115.823
R2= 114.291
R3=1244.397
である。
【００４１】
図４は、本実施例による眼鏡レンズの各点における度数を、中心度数からの差で示した図である。図４の横軸は中心度数（−４ジオプトリー）からの差を示し、縦軸は回旋角を示す。実線はメリジオナル面のデータ（Ｍ）を表し、点線はサジタル面のデータ（Ｓ）を表す。メリジオナル面のデータの回旋角は左側の目盛により、サジタル面のデータ回旋角は右側の目盛による。
【００４２】
図１のステップＳ１０４０において、縁厚が許容範囲内であるかどうか判断する。縁厚が許容範囲内であれば処理を終了する。縁厚が許容範囲内でなければ、ステップＳ１０５０に進む。
【００４３】
図１のステップＳ１０５０において、第１および第２の領域を変更し、その後ステップＳ１０３０に進む。第１の領域の上限の回旋角（第１の所定値）を小さくすれば、眼側の屈折面の形状（眼側の屈折面を表す曲線の曲率）を修正できる第２の領域が広がるので、縁厚をより薄くすることができる。また、第１の領域の上限の回旋角（第１の所定値）を固定して第２の領域の上限の回旋角（第２の所定値）を小さくすれば、眼側の屈折面を表す曲線の変曲点を定めることができる第３の領域が広がるので、縁厚をより薄くすることができる。ただし、縁厚を薄くするように眼側の屈折面の形状を修正した範囲は、曲率半径が大きくなるので、眼鏡レンズの屈折力が低下する。そこで、縁厚と屈折力が低下する範囲とのバランスをとりながら、第１および第２の領域の範囲を定める。たとえば、縁厚が十分に薄い場合には、眼鏡レンズの屈折力を低下させないように、第１または第２の所定値を増加させてもよい。
【００４４】
ここで、第１の実施例の第１および第２の領域の範囲を変更した第２実施例について説明する。
【００４５】
図５は、本発明の第２の実施例による眼鏡レンズの、眼球の回旋中心点Ｃ２と光学中心Ｃ１とを結ぶ直線を含む断面の図である。本実施例においては、他の条件を第１の実施例と同じとし、第１の所定値を２６度とし、第２の所定値を４２度とした。このように、第１および第２所定値を第１の実施例に比較して減少させた。図５において、比較例のレンズ形状を点線で示し、本実施例によるレンズ形状を実線で示す。
【００４６】
図５に示すように、本実施例による眼鏡レンズの外側（耳側）の縁厚は２．５ミリメータであり、第１の実施例の外側（耳側）の縁厚（３．３ミリメータ）に比較して０．８ミリメータ薄くなっている。
【００４７】
第２の実施例において、
R1= 115.823
R2= 115.255
R3= 397.337
である。
【００４８】
図６は、本実施例による眼鏡レンズの各点における度数の、中心度数からの差で示した図である。図６の横軸は中心度数（−４ジオプトリー）からの差を示し、縦軸は回旋角を示す。実線はメリジオナル面のデータ（Ｍ）を表し、点線はサジタル面のデータ（Ｓ）を表す。メリジオナル面のデータの回旋角は左側の目盛により、サジタル面のデータ回旋角は右側の目盛による。
【００４９】
以下において、光学中心から耳側端部までの距離や中心度数を変化させた他の実施例について説明する。
【００５０】
図７は、本発明の第３の実施例による眼鏡レンズの、眼球の回旋中心点Ｃ２と光学中心Ｃ１とを結ぶ直線を含む断面の図である。図７において、眼鏡レンズの外側（耳側）を「Ｏｕｔ」で示し、内側（鼻側）を「Ｉｎ」で示す。本実施例による眼鏡レンズの中心度数は、−４ジオプトリーであり、光学中心から外側（耳側）端部までの距離は３３ミリメータである。また、本実施例による眼鏡レンズの中心厚は１．１ミリメータである。上記直線が眼側の屈折面と交わる点を基準点Ｏとし、眼側の屈折面を表す曲線の基準点Ｏにおける接線を基準線とし、基準点Ｏを原点とし、基準線をＸ軸とするＸＹ直交座標を定める。本実施例においては、第１の領域を回旋角が３０度以下の領域とし、第２の領域を回旋角が３０度より大きく５０度以下の領域とし、第３の領域を回旋角が５０度より大きい領域とした。図７において、比較例のレンズ形状を点線で示し、本実施例によるレンズ形状を実線で示す。
【００５１】
図７に示すように、本実施例による眼鏡レンズの外側（耳側）の縁厚は３．６ミリメータである。比較例の縁厚（４．１ミリメータ）に比較して、０．５ミリメータ薄くなっている。本実施例による眼鏡レンズは、第１の実施例による眼鏡レンズと比較して、光学中心から外側（耳側）端部までの距離が大きく第３の領域が広い。したがって、第１の実施例に比較して縁厚の減少分は大きい。
【００５２】
第３の実施例において、
R1= 115.823
R2= 114.277
R3= 819.965
である。
【００５３】
図８は、本実施例による眼鏡レンズの各点における度数の、中心度数からの差で示した図である。図８の横軸は中心度数（−４ジオプトリー）からの差を示し、縦軸は回旋角を示す。実線はメリジオナル面のデータ（Ｍ）を表し、点線はサジタル面のデータ（Ｓ）を表す。メリジオナル面のデータの回旋角は左側の目盛により、サジタル面のデータ回旋角は右側の目盛による。
【００５４】
図９は、本発明の第４の実施例による眼鏡レンズの、眼球の回旋中心点Ｃ２と光学中心Ｃ１とを結ぶ直線を含む断面の図である。図９において、眼鏡レンズの外側（耳側）を「Ｏｕｔ」で示し、内側（鼻側）を「Ｉｎ」で示す。本実施例による眼鏡レンズの中心度数は、−６ジオプトリーであり、光学中心から外側（耳側）端部までの距離は２９ミリメータである。また、本実施例による眼鏡レンズの中心厚は１．１ミリメータである。上記直線が眼側の屈折面と交わる点を基準点Ｏとし、眼側の屈折面を表す曲線の基準点Ｏにおける接線を基準線とし、基準点Ｏを原点とし、基準線をＸ軸とするＸＹ直交座標を定める。本実施例においては、第１の領域を回旋角が３０度以下の領域とし、第２の領域を回旋角が３０度より大きく４４度以下の領域とし、第３の領域を回旋角が４４度より大きい領域とした。図９において、比較例のレンズ形状を点線で示し、本実施例によるレンズ形状を実線で示す。
【００５５】
図９に示すように、本実施例による眼鏡レンズの外側（耳側）の縁厚は３．３ミリメータである。比較例の縁厚（４．７ミリメータ）に比較して、１．４ミリメータ薄くなっている。
【００５６】
第４の実施例において、
R1= 98.660
R2= 96.901
R3=628.077
である。
【００５７】
図１０は、本実施例による眼鏡レンズの各点における度数の、中心度数からの差で示した図である。図１０の横軸は中心度数（−６ジオプトリー）からの差を示し、縦軸は回旋角を示す。実線はメリジオナル面のデータ（Ｍ）を表し、点線はサジタル面のデータ（Ｓ）を表す。メリジオナル面のデータの回旋角は左側の目盛により、サジタル面のデータ回旋角は右側の目盛による。
【００５８】
図１１は、本発明の第５の実施例による眼鏡レンズの、眼球の回旋中心点Ｃ２と光学中心Ｃ１とを結ぶ直線を含む断面の図である。図１１において、眼鏡レンズの外側（耳側）を「Ｏｕｔ」で示し、内側（鼻側）を「Ｉｎ」で示す。本実施例による眼鏡レンズの中心度数は、−６ジオプトリーであり、光学中心から外側（耳側）端部までの距離は３３ミリメータである。また、本実施例による眼鏡レンズの中心厚は１．１ミリメータである。上記直線が眼側の屈折面と交わる点を基準点Ｏとし、眼側の屈折面を表す曲線の基準点Ｏにおける接線を基準線とし、基準点Ｏを原点とし、基準線をＸ軸とするＸＹ直交座標を定める。本実施例においては、第１の領域を回旋角が３０度以下の領域とし、第２の領域を回旋角が３０度より大きく４７度以下の領域とし、第３の領域を回旋角が４７度より大きい領域とした。図１１において、比較例のレンズ形状を点線で示し、本実施例によるレンズ形状を実線で示す。
【００５９】
図１１に示すように、本実施例による眼鏡レンズの外側（耳側）の縁厚は３．５ミリメータである。比較例の縁厚（５．８ミリメータ）に比較して、２．３ミリメータ薄くなっている。本実施例による眼鏡レンズは、第４の実施例による眼鏡レンズと比較して、光学中心から外側（耳側）端部までの距離が大きい。したがって、第４の実施例に比較して縁厚の減少分は大きい。
【００６０】
第５の実施例において、
R1= 98.660
R2= 96.930
R3=141.994
である。
【００６１】
図１２は、本実施例による眼鏡レンズの各点における度数の、中心度数からの差で示した図である。図１２の横軸は中心度数（−６ジオプトリー）からの差を示し、縦軸は回旋角を示す。実線はメリジオナル面のデータ（Ｍ）を表し、点線はサジタル面のデータ（Ｓ）を表す。メリジオナル面のデータの回旋角は左側の目盛により、サジタル面のデータ回旋角は右側の目盛による。
【００６２】
図１３は、本発明の第６の実施例による眼鏡レンズの、眼球の回旋中心点Ｃ２と光学中心Ｃ１とを結ぶ直線を含む断面の図である。図１３において、眼鏡レンズの外側（耳側）を「Ｏｕｔ」で示し、内側（鼻側）を「Ｉｎ」で示す。本実施例による眼鏡レンズの中心度数は、−６ジオプトリーであり、光学中心から外側（耳側）端部までの距離は２９ミリメータである。また、本実施例による眼鏡レンズの中心厚は１．１ミリメータである。上記直線が眼側の屈折面と交わる点を基準点Ｏとし、眼側の屈折面を表す曲線の基準点Ｏにおける接線を基準線とし、基準点Ｏを原点とし、基準線をＸ軸とするＸＹ直交座標を定める。本実施例においては、第１の領域を回旋角が３０度以下の領域とし、第２の領域を回旋角が３０度より大きく５０度以下の領域とし、第３の領域を回旋角が５０度より大きい領域とした。図１３において、比較例のレンズ形状を点線で示し、本実施例によるレンズ形状を実線で示す。
【００６３】
図１３に示すように、本実施例による眼鏡レンズの外側（耳側）の縁厚は４．５ミリメータである。比較例の縁厚（４．７ミリメータ）に比較して、０．２ミリメータ薄くなっている。本実施例による眼鏡レンズは、第４の実施例による眼鏡レンズと比較して、第２の領域の上限の回旋角を広げている。したがって、第４の実施例に比較して縁厚の減少分は小さい。
【００６４】
第６の実施例において、
R1=  98.660
R2=  96.645
R3=1239.886
である。
【００６５】
図１４は、本実施例による眼鏡レンズの各点における度数の、中心度数からの差で示した図である。図１４の横軸は中心度数（−６ジオプトリー）からの差を示し、縦軸は回旋角を示す。実線はメリジオナル面のデータ（Ｍ）を表し、点線はサジタル面のデータ（Ｓ）を表す。メリジオナル面のデータの回旋角は左側の目盛により、サジタル面のデータ回旋角は右側の目盛による。
【００６６】
図１５は、本発明の第７の実施例による眼鏡レンズの、眼球の回旋中心点Ｃ２と光学中心Ｃ１とを結ぶ直線を含む断面の図である。図１５において、眼鏡レンズの外側（耳側）を「Ｏｕｔ」で示し、内側（鼻側）を「Ｉｎ」で示す。本実施例による眼鏡レンズの中心度数は、−６ジオプトリーであり、光学中心から外側（耳側）端部までの距離は３３ミリメータである。また、本実施例による眼鏡レンズの中心厚は１．１ミリメータである。上記直線が眼側の屈折面と交わる点を基準点Ｏとし、眼側の屈折面を表す曲線の基準点Ｏにおける接線を基準線とし、基準点Ｏを原点とし、基準線をＸ軸とするＸＹ直交座標を定める。本実施例においては、第１の領域を回旋角が３０度以下の領域とし、第２の領域を回旋角が３０度より大きく５０度以下の領域とし、第３の領域を回旋角が５０度より大きい領域とした。図１３において、比較例のレンズ形状を点線で示し、本実施例によるレンズ形状を実線で示す。
【００６７】
図１５に示すように、本実施例による眼鏡レンズの外側（耳側）の縁厚は４．９ミリメータである。比較例の縁厚（５．８ミリメータ）に比較して、０．９ミリメータ薄くなっている。本実施例による眼鏡レンズは、第６の実施例による眼鏡レンズと比較して、光学中心から外側（耳側）端部までの距離が大きく第３の領域が広い。したがって、第６の実施例に比較して縁厚の減少分は大きい。
【００６８】
第７の実施例において、
R1=  98.660
R2=  96.649
R3=1345.400
である。
【００６９】
図１６は、本実施例による眼鏡レンズの各点における度数の、中心度数からの差で示した図である。図１６の横軸は中心度数（−６ジオプトリー）からの差を示し、縦軸は回旋角を示す。実線はメリジオナル面のデータ（Ｍ）を表し、点線はサジタル面のデータ（Ｓ）を表す。メリジオナル面のデータの回旋角は左側の目盛により、サジタル面のデータ回旋角は右側の目盛による。
【００７０】
図１７は、本発明の第８の実施例による眼鏡レンズの光学中心を示す図である。光学中心から耳側（図の右側）の端部までの距離は３０ミリメータであり、光学中心から鼻側（図の左側）の端部までの距離は２５ミリメータである。
【００７１】
図１８は、本発明の第８の実施例による眼鏡レンズの、眼球の回旋中心点Ｃ２と光学中心Ｃ１とを結ぶ直線を含む断面の図である。図１８において、眼鏡レンズの外側（耳側）を「Ｏｕｔ」で示し、内側（鼻側）を「Ｉｎ」で示す。本実施例による眼鏡レンズの中心度数は、−５．７５ジオプトリーである。また、本実施例による眼鏡レンズの中心厚は１．０ミリメータである。上記直線が眼側の屈折面と交わる点を基準点Ｏとし、眼側の屈折面を表す曲線の基準点Ｏにおける接線を基準線とし、基準点Ｏを原点とし、基準線をＸ軸とするＸＹ直交座標を定める。本実施例においては、第１の領域を回旋角が３０度以下の領域とし、第２の領域を回旋角が３０度より大きく４５度以下の領域とし、第３の領域を回旋角が４５度より大きい領域とした。図１８において、比較例のレンズ形状を点線で示し、本実施例によるレンズ形状を実線で示す。
【００７２】
図１８に示すように、本実施例による眼鏡レンズの外側（耳側）の縁厚は３．８ミリメータである。比較例の縁厚（４．７ミリメータ）に比較して、０．９ミリメータ薄くなっている。
【００７３】
第８の実施例において、
R1= 102.463
R2= 100.523
R3= 445.584
である。
【００７４】
図１９は、本実施例および比較例による眼鏡レンズの各点における度数の、中心度数からの差で示した図である。図１９の横軸は中心度数（−５．７５ジオプトリー）からの差を示し、縦軸は回旋角を示す。実線はメリジオナル面のデータ（Ｍ）を表し、点線はサジタル面のデータ（Ｓ）を表す。太い実線および点線は、本実施例のデータを表し、細い実線および点線は比較例のデータを表す。  
図２０は、度数以外の設計条件を本実施例と同じにしながら、中心度数を−８．５０ジオプトリーから−３．７５ジオプトリーまでの範囲で変化させた眼鏡レンズの、耳側および鼻側の縁厚の変化、および度数以外の設計条件を比較例と同じにしながら、中心度数を−８．５０ジオプトリーから−３．７５ジオプトリーまでの範囲で変化させた眼鏡レンズの、耳側および鼻側の縁厚の変化を示す図である。本実施例から中心度数変化させた眼鏡レンズのグループを本実施例のグループと呼称し、耳側および鼻側の縁厚の変化を実線で表す。比較例から中心度数変化させた眼鏡レンズのグループを比較例のグループと呼称し、耳側および鼻側の縁厚の変化を点線で表す。本実施例のグループの耳側と鼻側の縁厚の差は、中心度数が−８．５０ジオプトリー場合に最も大きく約０．６ミリメータである（図２０のＡで示す）。これに対して、比較例のグループの耳側と鼻側の縁厚の差は、中心度数が−８．５０ジオプトリー場合に最も大きく約１．８ミリメータである（図２０のＢで示す）。このように、眼鏡レンズの耳側と鼻側の縁厚の差は、比較例のグループと比較して、本実施例のグループでは、きわめて小さくなり、眼鏡レンズの見栄えが向上する。
【００７５】
図２１は、本発明の第９の実施例によるレンズの光学中心を示す図である。光学中心から耳側（図の右側）の端部までの距離は３５ミリメータであり、光学中心から鼻側（図の左側）の端部までの距離は２５ミリメータである。
【００７６】
図２２は、本発明の第９の実施例による眼鏡レンズの、眼球の回旋中心点Ｃ２と光学中心Ｃ１とを結ぶ直線を含む断面の図である。図２２において、眼鏡レンズの外側（耳側）を「Ｏｕｔ」で示し、内側（鼻側）を「Ｉｎ」で示す。本実施例による眼鏡レンズの中心度数は、−５．７５ジオプトリーである。また、本実施例による眼鏡レンズの中心厚は１．０ミリメータである。上記直線が眼側の屈折面と交わる点を基準点Ｏとし、眼側の屈折面を表す曲線の基準点Ｏにおける接線を基準線とし、基準点Ｏを原点とし、基準線をＸ軸とするＸＹ直交座標を定める。本実施例においては、第１の領域を回旋角が３０度以下の領域とし、第２の領域を回旋角が３０度より大きく５０度以下の領域とし、第３の領域を回旋角が５０度より大きい領域とした。図２２において、比較例のレンズ形状を点線で示し、本実施例によるレンズ形状を実線で示す。
【００７７】
図２２に示すように、本実施例による眼鏡レンズの外側（耳側）の縁厚は４．６ミリメータである。比較例の縁厚（６．０ミリメータ）に比較して、１．４ミリメータ薄くなっている。
【００７８】
第９の実施例において、
R1= 102.463
R2= 100.571
R3=2606.515
である。
【００７９】
図２３は、本実施例および比較例による眼鏡レンズの各点における度数の、中心度数からの差で示した図である。図２３の横軸は中心度数（−５．７５ジオプトリー）からの差を示し、縦軸は回旋角を示す。実線はメリジオナル面のデータ（Ｍ）を表し、点線はサジタル面のデータ（Ｓ）を表す。太い実線および点線は、本実施例のデータを表し、細い実線および点線は比較例のデータを表す。  
図２４は、度数以外の設計条件を本実施例と同じにしながら、中心度数を−８．５０ジオプトリーから−３．７５ジオプトリーまでの範囲で変化させた眼鏡レンズの、耳側および鼻側の縁厚の変化、および度数以外の設計条件を比較例と同じにしながら、中心度数を−８．５０ジオプトリーから−３．７５ジオプトリーまでの範囲で変化させた眼鏡レンズの、耳側および鼻側の縁厚の変化を示す図である。本実施例から中心度数変化させた眼鏡レンズのグループを本実施例のグループと呼称し、耳側および鼻側の縁厚の変化を実線で表す。比較例から中心度数変化させた眼鏡レンズのグループを比較例のグループと呼称し、耳側および鼻側の縁厚の変化を点線で表す。本実施例のグループの耳側と鼻側の縁厚の差は、中心度数が−８．５０ジオプトリー場合に最も大きく約１．８ミリメータである（図２４のＡで示す）。これに対して、比較例のグループの耳側と鼻側の縁厚の差は、中心度数が−８．５０ジオプトリー場合に最も大きく約４．１ミリメータである（図２４のＢで示す）。このように、眼鏡レンズの耳側と鼻側の縁厚の差は、比較例のグループと比較して、本実施例のグループでは、きわめて小さくなり、眼鏡レンズの見栄えが向上する。
【００８０】
上記の実施例においては、単一の屈折度数に基づいて設計された眼鏡レンズについて説明したが、本発明は、累進屈折力レンズや乱視屈折力レンズなどにも適用することができる。
【００８１】
図２５は、本発明の一実施形態による眼鏡レンズの製造方法を示す流れ図である。
【００８２】
図２５のステップＳ２５０１０において、たとえば、眼鏡店において眼鏡装用者の指紋値を求める。
【００８３】
図２５のステップＳ２５０２０において、たとえば、メーカのコンピュータを使用して、眼鏡装用者の指紋値に基づいて本発明による設計方法によって眼鏡レンズを設計する。眼鏡店のバーソナル・コンピュータに眼鏡装用者の指紋値を入力し、インターネットやイントラネットなどのネットワークによりメーカのコンピュータに送信するようにしてもよい。
【００８４】
図２５のステップＳ２５０３０において、メーカにおいて眼鏡レンズを加工する。
【００８５】
図２５のステップＳ２５０４０において、メーカで加工した眼鏡レンズを、たとえば、眼鏡店において枠入れし、眼鏡を完成させる。
【００８６】
このように、本発明によれば、視紋値などを使用して眼鏡レンズの使用状況に関する装用者の特性を考慮して、縁厚が薄く、耳側および鼻側の縁厚の差が小さい、眼鏡レンズを設計することができる。また、眼鏡レンズの使用状況に関する装用者の特性を考慮した、縁厚が薄く、耳側および鼻側の縁厚の差が小さい、眼鏡レンズが得られる。
【図面の簡単な説明】
【００８７】
【図１】本発明の一実施形態による、眼鏡レンズの設計方法を示す流れ図である。
【図２】視紋値を説明するための図である。
【図３】本発明の第１の実施例による眼鏡レンズの、眼球の回旋中心点と光学中心とを結ぶ直線を含む断面の図である。
【図４】本発明の第１の実施例による眼鏡レンズの各点における度数の、中心度数からの差を示す図である。
【図５】本発明の第２の実施例による眼鏡レンズの、眼球の回旋中心点と光学中心とを結ぶ直線を含む断面の図である。
【図６】本発明の第２の実施例による眼鏡レンズの各点における度数の、中心度数からの差を示す図である。
【図７】本発明の第３の実施例による眼鏡レンズの、眼球の回旋中心点と光学中心とを結ぶ直線を含む断面の図である。
【図８】本発明の第３の実施例による眼鏡レンズの各点における度数の、中心度数からの差を示す図である。
【図９】本発明の第４の実施例による眼鏡レンズの、眼球の回旋中心点と光学中心とを結ぶ直線を含む断面の図である。
【図１０】本発明の第４の実施例による眼鏡レンズの各点における度数の、中心度数からの差を示す図である。
【図１１】本発明の第５の実施例による眼鏡レンズの、眼球の回旋中心点と光学中心とを結ぶ直線を含む断面の図である。
【図１２】本発明の第５の実施例による眼鏡レンズの各点における度数の、中心度数からの差を示す図である。
【図１３】本発明の第６の実施例による眼鏡レンズの、眼球の回旋中心点と光学中心とを結ぶ直線を含む断面の図である。
【図１４】本発明の第６の実施例による眼鏡レンズの各点における度数の、中心度数からの差を示す図である。
【図１５】本発明の第７の実施例による眼鏡レンズの、眼球の回旋中心点と光学中心とを結ぶ直線を含む断面の図である。
【図１６】本発明の第７の実施例による眼鏡レンズの各点における度数の、中心度数からの差を示す図である。
【図１７】本発明の第８の実施例による眼鏡レンズの光学中心を示す図である。
【図１８】本発明の第８の実施例による眼鏡レンズの、眼球の回旋中心点Ｃ２と光学中心Ｃ１とを結ぶ直線を含む断面の図である。
【図１９】本発明の第８の実施例および比較例による眼鏡レンズの各点における度数の、中心度数からの差で示した図である。
【図２０】度数以外の設計条件を本発明の第８の実施例と同じにしながら、中心度数を−８．５０ジオプトリーから−３．７５ジオプトリーまでの範囲で変化させた眼鏡レンズの、耳側および鼻側の縁厚の変化、および度数以外の設計条件を比較例と同じにしながら、中心度数を−８．５０ジオプトリーから−３．７５ジオプトリーまでの範囲で変化させた眼鏡レンズの、耳側および鼻側の縁厚の変化を示す図である。
【図２１】本発明の第９の実施例によるレンズの光学中心を示す図である。
【図２２】本発明の第９の実施例による眼鏡レンズの、眼球の回旋中心点Ｃ２と光学中心Ｃ１とを結ぶ直線を含む断面の図である。
【図２３】本発明の第９の実施例および比較例による眼鏡レンズの各点における度数の、中心度数からの差で示した図である。
【図２４】度数以外の設計条件を本発明の第９の実施例と同じにしながら、中心度数を−８．５０ジオプトリーから−３．７５ジオプトリーまでの範囲で変化させた眼鏡レンズの、耳側および鼻側の縁厚の変化、および度数以外の設計条件を比較例と同じにしながら、中心度数を−８．５０ジオプトリーから−３．７５ジオプトリーまでの範囲で変化させた眼鏡レンズの、耳側および鼻側の縁厚の変化を示す図である。
【図２５】本発明の一実施形態による眼鏡レンズの製造方法を示す流れ図である。
【符号の説明】
【００８８】
Ｃ１…光学中心、Ｃ２…眼球の回旋中心点、Ｏ…基準点
【図１】
2008249828.tif 000028
【図２】
2008249828.tif 000029
【図３】
2008249828.tif 000030
【図４】
2008249828.tif 000031
【図５】
2008249828.tif 000032
【図６】
2008249828.tif 000033
【図７】
2008249828.tif 000034
【図８】
2008249828.tif 000035
【図９】
2008249828.tif 000036
【図１０】
2008249828.tif 000037
【図１１】
2008249828.tif 000038
【図１２】
2008249828.tif 000039
【図１３】
2008249828.tif 000040
【図１４】
2008249828.tif 000041
【図１５】
2008249828.tif 000042
【図１６】
2008249828.tif 000043
【図１７】
2008249828.tif 000044
【図１８】
2008249828.tif 000045
【図１９】
2008249828.tif 000046
【図２０】
2008249828.tif 000047
【図２１】
2008249828.tif 000048
【図２２】
2008249828.tif 000049
【図２３】
2008249828.tif 000050
【図２４】
2008249828.tif 000051
【図２５】
2008249828.tif 000052